(57)【特許請求の範囲】
【請求項１】
箱状に一体成形された樹脂製のシャーシ内に画像読取装置を収容する構成において、前記シャーシの前後及び左右側面の上部に、前記シャーシを補強するとともにプラテンガラスを支持する補強プレートが取り付けられており、前記補強プレートのうち、前記シャーシのスキャナ移動方向に沿って取付けられた補強プレートにプラテンガラス支持面とスキャナ摺動面とを一体成形する構成としたことを特徴とする画像読取装置。
【請求項２】
前記シャーシのスキャナ移動方向に沿って取付けられた補強プレートは、断面視コ字状に形成され、上部面をプラテンガラス支持面とすると共に、下部面をスキャナ摺動面とし、前記スキャナ摺動面がシャーシに一体成形された支持部上に配置されていることを特徴とする請求項１記載の画像読取装置。
【請求項３】
前記補強プレートを板金製とし、前記プラテンガラス支持面とスキャナ摺動面とを平行に配置したことを特徴とする請求項１又は請求項２記載の画像読取装置。
【発明の詳細な説明】
【０００１】
【発明の属する技術分野】
本発明は、画像読取装置の構成に関するもので、詳しくは、樹脂製で一体成形されたシャーシに取付けられた補強プレートの構成に関する。
【０００２】
【従来の技術】
画像読取装置は、静止原稿に対してシャーシ内に設けられたスキャナを走査させることにより、若しくは、自動給紙装置から給紙された原稿をスキャナ上で搬送させることにより画像を読取る装置であり、これら画像読取装置のシャーシ、スキャナ、自動給紙装置、原稿押えカバー等は一体として読取ユニットとして構成されている。
上記スキャナはシャーシ内において摺動自在に支持されており、モータ駆動によりシャーシ内を往復摺動することにより、シャーシ上部に配置されたプラテンガラス上の原稿を読取る構成である。このため、該スキャナの光源とプラテンガラス（原稿）までの距離が一定に保たれる必要があり、この距離にばらつきがあると画像読取の精度が劣化することとなる。
【０００３】
【発明が解決しようとする課題】
しかし、上記従来構成においては、原稿載置面を構成するプラテンガラスを支持する部材と、スキャナを摺動支持する部材が別部材で構成され、これら部材をシャーシに組付ける構成としている。このため、部材の組立て精度、若しくは、部材自体の成形精度が悪い場合には、スキャナの光源とプラテンガラス（原稿）までの距離が一定に保たれず、画像の読取に影響を与えるという問題があった。また、プラテンガラスの支持部材とスキャナを摺動支持する部材が別部材で構成されているため、部品点数が多くなり、累積公差も大きくなる。また組み立て工数も多くなるという問題があった。
【０００４】
【課題を解決するための手段】
本発明の解決しようとする課題は以上の如くであり、次に課題を解決するための手段について説明する。
即ち、請求項１記載の如く、箱状に一体成形された樹脂製のシャーシ内に画像読取装置を収容する構成において、前記シャーシの前後及び左右側面の上部に、前記シャーシを補強するとともにプラテンガラスを支持する補強プレートが取り付けられており、前記補強プレートのうち、前記シャーシのスキャナ移動方向に沿って取付けられた補強プレートにプラテンガラス支持面とスキャナ摺動面とを一体成形する構成とした。
【０００５】
また、請求項２記載の如く、前記シャーシのスキャナ移動方向に沿って取付けられた補強プレートは、断面視コ字状に形成され、上部面をプラテンガラス支持面とすると共に、下部面をスキャナ摺動面とし、前記スキャナ摺動面がシャーシに一体成形された支持部上に配置されることとした。
【０００６】
また、請求項３記載の如く、前記補強プレートを板金製とし、前記プラテンガラス支持面とスキャナ摺動面とを平行に配置した。
【０００７】
【発明の実施の形態】
次に、本発明の実施の形態を添付の図面を用いて説明する。
図１は、本発明に係る画像読取装置を有する一実施例であるファクシミリ装置の斜視図、図２は同じく正面断面図、図３は画像読取装置を収容するシャーシの平面図、図４は同じく側面断面図、図５はシャーシ上部に補強プレートを取付けた状態を示す平面図、図６は補強プレートの断面を示す拡大図、図７は読取ユニットの平面図である。
【０００８】
まず、本発明の画像読取装置が適用されるファクシミリ装置の概略構成について、図１、図２により説明する。
ファクシミリ装置Ｆは、記録部１の上方に読取部である読取ユニット２を配置して構成され、該読取ユニット２は、記録部１に対して回動支点２０を中心に上下回動可能とされている。記録部１には画像形成装置３及び給紙カセット４がそれぞれ上下に内装されており、給紙カセット４内に堆積される用紙を画像形成装置３へ給紙して記録した後に、記録紙排出トレイ５へ排出するように構成している。以下の説明においては便宜的に図１等に示す矢視Ａをファクシミリ装置Ｆの前部側（正面側）とする。
【０００９】
一方、読取ユニット２においては、上面を透明状の原稿載置面１４とした読取ケース１３内にスキャナ６０等からなる画像読取装置６を収納しており、該原稿載置面１４上に載置された原稿を該スキャナ６０により走査して、読み取りを行うようにしている。
また、読取ケース１３の上方には、その一辺を中心として開閉可能に構成される原稿押えカバー７が配置され、該原稿押えカバー７により原稿載置面１４上に載置された原稿を上方から押えるものとしている。
【００１０】
原稿押えカバー７の一端部には原稿を自動的に給紙する自動給紙装置（ＡＤＦ装置）８が付設され、該自動給紙装置８は給紙装置１１と搬送装置１２とにより構成されている。
そして、原稿供給トレイ９に載置した原稿を、自動給紙装置８の給紙装置１１により一枚ずつピックアップして、搬送装置１２により原稿載置面１４の一端部に設けられたＡＤＦ読取部１７へ搬送し、スキャナ６０により内容を読み取った後に、原稿押えカバー７の上面に形成される原稿排出トレイ１０へ排出するように構成している。
【００１１】
即ち、読取ユニット２は、スキャナ６０を走査させて静止原稿を読み取るフラットベッドタイプのスキャナとして用いるとともに、スキャナ６０を位置固定して原稿を給送しながら読み取りを行うシートフィードタイプのスキャナとして用いることができるように構成されている。
【００１２】
また、読取ケース１３の前部にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の画像形成装置３による記録を行ったりするようにしている。
【００１３】
次に前記読取ケース１３内の構成について説明する。
図２に示すように読取ケース１３は内部に樹脂製のシャーシ２１を収容しており、該シャーシ２１内にスキャナ６０等からなる画像読取装置６を配する構成としている。シャーシ２１は図３の平面図、図４の側面図で示すように、底面及び四方の側面が一体成形された箱型の形状であり、シャーシ２１全体を樹脂で構成することにより読取ユニット２の軽量化を図っている。また、該シャーシ２１の前部には補強ウィング２２が取り付けられている。
【００１４】
補強ウィング２２は前記シャーシ２１と同様に樹脂製であり、図３で示すように平面視略台形状の底面２２ｂ上に、複数のリブ２２ｒ・２２ｒ・・・が格子状に立設され、これらリブ２２ｒ・２２ｒ・・・と側面２２ａ・２２ａ及び底面２２ｂが一体成形されている。このような構成とすることで、全体を樹脂で一体成形されたシャーシ２１の強度が補強され、読取ユニット２の剛性が充分に確保される構成となった。そして、補強ウィング自体も樹脂製としているので、全体として軽量化も図れている。
【００１５】
そして、図７に示すように該補強ウィング２２の上部には、前記読取ユニット２のキーパネル１５が設けられる構成としている。つまり、補強ウィング２２は、キー操作によりキーパネル１５に加わる下方向きの力を受け止めて、該キーパネル１５の支持部材としての役割も兼ねる構成としているのである。
【００１６】
シャーシ２１後部側の両側部には、支持台２６・２６が設けられており、該支持台２６・２６にそれぞれ設けられた支持孔２６ａ・２６ａに前記原稿押えカバー７の図示せぬ支持ピンを挿入することにより、該原稿押えカバー７をシャーシ２１上に載置する構成とし、該支持ピンの上部に設けられた図示せぬヒンジにより原稿押えカバー７の開閉を可能としている。
【００１７】
図５に示すようにシャーシ２１の前後及び左右側面の上部には、それぞれ板金プレートである補強プレート２３Ｆ・２３Ｂ・２３Ｌ・２３Ｒ（以下、適宜補強プレート２３と略す）がボルト等の止具により取付けられている。該補強プレート２３は、シャーシ２１の補強部材としての役割と併せて、前記原稿載置面１４を構成するプラテンガラス２４の支持プレートとしての役割を有している。
【００１８】
また、図５に示すようにシャーシ２１内の後部側には左右方向に前記スキャナ６０走査用のガイドロッド６１が横設されている。該ガイドロッド６１はシャーシ２１の両側面に設けられた取付孔に挿嵌されるとともに、左右一側（本実施例では左側）の取付孔の位置において位置決め用の取付部材２５を介してシャーシ２１に固定される構成としている。また、該取付部材２５は前記補強プレート２３Ｌと同一の止具によりシャーシ２１に固定されており、該取付部材２５を介してガイドロッド６１をグランド側（補強プレート２３側）に接続している。
【００１９】
次に、本発明に係る補強プレートの構成について説明する。
前述した補強プレート２３のうちシャーシ２１の前部側に設けられている補強プレート２３Ｆは、図６に示すように断面視略コ字形状に形成されている。そして、該補強プレート２３Ｆの上部側の面はプラテンガラス２４を支持するプラテンガラス支持面２３ａとし、下部側の面を前記スキャナ６０とのスキャナ摺動面２３ｂとしている。そして、図に示すように、該プラテンガラス支持面２３ａがシャーシ２１の側面上端よりやや上部位置において略水平方向に設けられて、プラテンガラス２４を載置するよう構成し、また、該スキャナ摺動面２３ｂがシャーシ２１に一体形成された支持部２１ａ上に配置され、同じく略水平方向に設けられてスキャナ６０との摺動面を形成している。
【００２０】
一方、図４に示すようにシャーシ２１内の前後方向に設けられたスキャナ６０の一端（後端）にはガイド孔６０ａが設けられ、該ガイド孔６０ａにガイドロッド６１を挿嵌している。また、スキャナ６０の他端（前端）の下部には摺動部６０ｂが形成されており、該摺動部６０ｂが前記補強プレート２３Ｆのスキャナ摺動面２３ｂ上に載置されている。スキャナ６０は、内部に光源である蛍光管、光学系、ＣＣＤ等を内装したユニット構成であり、ＣＣＤにより光電変換されたデータがハーネス６２を介して図示せぬ制御部へと送信される構成としている。
【００２１】
以上のような構成において、モータ６３（図７に図示）により駆動されたスキャナ６０は、一端（後端）側をガイドロッド６１により支持され、また、他端（前端）側をスキャナ摺動面２３ｂにより支持されながら、図７に示すように左右方向（スキャナ移動方向Ｂ）に移動可能としており、フラットベッドスキャナとして機能する場合には、スキャナ移動方向Ｂに移動しながら静止原稿の読取を行う。また、自動給紙装置８を使用する場合には、矢視Ｃ位置に移動停止して搬送原稿の読取を行う。
【００２２】
以上の構成により、シャーシ２１を樹脂製として軽量化を図りながら、スキャナ６０とのスキャナ摺動面２３ｂを板金プレートである補強プレート２３Ｆ上に形成しているので、スキャナ６０の摺動移動に際し摩擦係数が小さく、走査の精度向上を図っている。
そして、本発明においては、シャーシ２１のスキャナ移動方向に沿って取付けられた補強プレート２３Ｆにプラテンガラス支持面２３ａとスキャナ摺動面２３ｂとを一体成形する構成としているので、プラテンガラス支持面とスキャナ摺動面が別体（別部材）とする構成に比べて、累積公差が生ぜず、両面（支持面と摺動面）の間隔が精度よく平行に保たれる構成となった。これにより、スキャナ６０を走査させて画像の読取動作を行った場合にも、スキャナ６０とプラテンガラス２４との間は精度よく一定の距離が保たれ、画像読取の品質向上が図れるのである。また、構成部品点数を削減することで、コストダウンと組立工程の簡略化が図れ、メンテナンス性にも優れた構成となった。
【００２３】
また、該補強プレート２３Ｆは断面視コ字状に形成され、上部面をプラテンガラス支持面２３ａとすると共に、下部面をスキャナ摺動面２３ｂとしたので、簡易な構成でありながら、プラテンガラス支持面２３ａとスキャナ摺動面２３ｂを一体形成する構成となり、両面（支持面と摺動面）間の平行が精度よく保たれる構成となった。さらに、該補強プレート２３Ｆは、前述の如く板金製としてプラテンガラス支持面２３ａとスキャナ摺動面２３ｂを平行に配置する構成としているので、プレートの強度が高く、長時間の使用によっても両面間の距離が変化することはない。これにより画像読取の精度が高く、且つ、耐久性の高い構成となった。
【００２４】
【発明の効果】
本発明は以上の如く構成したので、以下のような効果を奏するものである。
即ち、請求項１記載の如く、箱状に一体成形された樹脂製のシャーシ内に画像読取装置を収容する構成において、前記シャーシの前後及び左右側面の上部に、前記シャーシを補強するとともにプラテンガラスを支持する補強プレートが取り付けられており、前記補強プレートのうち、前記シャーシのスキャナ移動方向に沿って取付けられた補強プレートにプラテンガラス支持面とスキャナ摺動面とを一体成形する構成としたので、各補強プレートは、シャーシの補強部材としての役割と併せて、プラテンガラスの支持プレートとしての役割を有し、しかも、スキャナ移動方向に沿って取付けられた補強プレートは、プラテンガラス支持面とスキャナ摺動面を別体とする構成に比べ累積公差が生じないため、両面（プラテンガラス支持面とスキャナ摺動面）間の距離精度が向上し、画像読取の精度向上が図れた。
【００２５】
また、請求項２記載の如く、前記シャーシのスキャナ移動方向に沿って取付けられた補強プレートは、断面視コ字状に形成され、上部面をプラテンガラス支持面とすると共に、下部面をスキャナ摺動面とし、前記スキャナ摺動面がシャーシに一体成形された支持部上に配置されていることとしたので、簡易な構成でありながら、両面間の距離精度を向上させることが可能となった。
【００２６】
また、請求項３記載の如く、前記補強プレートを板金製とし、前記プラテンガラス支持面とスキャナ摺動面とを平行に配置したので、プレートの強度が高く、長時間の使用によっても両面間の距離が変化することはない。これにより画像読取の精度が高く、且つ、耐久性の高い構成となった。
【図面の簡単な説明】
【図１】本発明に係る画像読取装置を有する一実施例であるファクシミリ装置の斜視図である。
【図２】同じく正面断面図である。
【図３】画像読取装置を収容するシャーシの平面図である。
【図４】同じく側面断面図である。
【図５】シャーシ上部に補強プレートを取付けた状態を示す平面図である。
【図６】補強プレートの断面を示す拡大図である。
【図７】読取ユニットの平面図である。
【符号の説明】
２      読取ユニット
６      画像読取装置
２１    シャーシ
２３    補強プレート
２３ａ  プラテンガラス支持面
２３ｂ  スキャナ摺動面
６０    スキャナ
６０ａ  ガイド孔
６０ｂ  摺動部
【図１】
0004032594.tif 000002
【図２】
0004032594.tif 000003
【図３】
0004032594.tif 000004
【図４】
0004032594.tif 000005
【図５】
0004032594.tif 000006
【図６】
0004032594.tif 000007
【図７】
0004032594.tif 000008